(57)【特許請求の範囲】
【請求項１】
入力される測定値が数値として保持される測定値入力セルが設けられた測定結果データ用テンプレートのテンプレートデータを記憶する記憶部と、
前記測定値を示す第１の文字列を特定可能な第１の測定結果データを取得したときに、当該第１の測定結果データに基づいて当該第１の文字列を特定する第１の処理と、前記テンプレートデータにおける前記測定値入力セルに特定した前記第１の文字列を入力して第２の測定結果データを生成する第２の処理とを実行する処理部とを備え、
前記処理部は、前記第１の処理によって特定した前記第１の文字列によって示されている前記測定値が小数を含んでいるときに、当該測定値における小数点以下の桁数を特定する第３の処理と、前記測定値入力セルのセル書式における小数点以下の有効桁数を前記第３の処理において特定した前記桁数に設定する第４の処理とを前記第２の処理に先立って実行する測定データ処理装置。
【請求項２】
前記処理部は、前記測定値の少なくとも補助単位を示す第２の文字列が当該測定値を示す前記第１の文字列に対応付けられて前記第１の測定結果データに記録されているときに、前記第１の処理において当該第２の文字列を特定すると共に、前記測定値入力セルに対応付けられている第１の補助単位と前記第２の文字列に基づいて特定される第２の補助単位とを比較し、当該第２の補助単位が当該第１の補助単位とは相違するときに、前記第１の文字列を、当該第１の文字列に基づいて特定される前記測定値を前記第１の補助単位に対応する指数表記とした当該測定値に対応する新たな当該第１の文字列に変換し、かつ前記第２の文字列を、前記第１の補助単位を示す新たな当該第２の文字列に変換する第５の処理を前記第２の処理に先立って実行すると共に、前記第４の処理において、前記第１の補助単位に対応する指数表記の前記測定値を保持するように前記測定値入力セルのセル書式を設定する請求項１記載の測定データ処理装置。
【請求項３】
測定対象についての測定処理を実行可能に構成された測定装置から送信される前記第１の測定結果データを受信可能な通信部を備えている請求項１または２記載の測定データ処理装置。
【請求項４】
請求項３記載の測定データ処理装置、および前記測定装置を備えて構成されている測定システム。
【請求項５】
測定値を示す第１の文字列が記録された第１の測定結果データを取得したときに、当該第１の測定結果データに基づいて当該第１の文字列を特定する第１の処理と、入力される前記測定値が数値として保持される測定値入力セルが設けられた測定結果データ用テンプレートのテンプレートデータにおける当該測定値入力セルに特定した前記第１の文字列を入力して第２の測定結果データを生成する第２の処理とを測定データ処理装置の処理部に実行させると共に、前記第１の処理によって特定した前記第１の文字列によって示されている前記測定値が小数を含んでいるときに、当該測定値における小数点以下の桁数を特定する第３の処理と、前記測定値入力セルのセル書式における小数点以下の有効桁数を前記第３の処理において特定した前記桁数に設定する第４の処理とを前記第２の処理に先立って前記処理部に実行させる測定データ処理用プログラム。
【請求項６】
前記測定値の少なくとも補助単位を示す第２の文字列が当該測定値を示す前記第１の文字列に対応付けられて前記第１の測定結果データに記録されているときに、前記第１の処理において当該第２の文字列を特定させると共に、前記測定値入力セルに対応付けられている第１の補助単位と前記第２の文字列に基づいて特定される第２の補助単位とを比較し、当該第２の補助単位が当該第１の補助単位とは相違するときに、前記第１の文字列を、当該第１の文字列に基づいて特定される前記測定値を前記第１の補助単位に対応する指数表記とした当該測定値に対応する新たな当該第１の文字列に変換する第５の処理を前記第２の処理に先立って前記処理部に実行させると共に、前記第４の処理において、前記処理部に、前記第１の補助単位に対応する指数表記の前記測定値を保持するように前記測定値入力セルのセル書式を設定させる請求項５記載の測定データ処理用プログラム。
【発明の詳細な説明】
【技術分野】
【０００１】
本発明は、測定結果データ用テンプレートの測定値入力セルに測定値を入力して測定結果データを生成する処理を実行可能な測定データ処理装置、そのような測定データ処理装置および測定装置を備えて構成された測定システム、並びに測定結果データを生成する上記の処理を測定データ処理装置の処理部に実行させる測定データ処理用プログラムに関するものである。
【背景技術】
【０００２】
例えば、電気設備等の保守作業に際しては、保守対象が設置されている現場に測定装置を携行して保守対象の各部の電圧値等を測定し、その測定結果を報告書に記入して現場から持ち帰って顧客（電気設備の所有者等）に提出したり、測定結果を記入した紙片を持ち帰ってパーソナルコンピュータ等を使用して報告書を作成して顧客に提出したりする業務が広く行われている。しかしながら、手書きの報告書では、机や倚子等が存在しない現場において綺麗な文字で測定結果を報告書に記入するのが困難であるため、報告書を見た者に測定結果を正しく認識させるのが困難となることがある。また、測定結果を記入した紙片を持ち帰ってパーソナルコンピュータ等を使用して報告書を作成する場合においても、現場において綺麗な文字で測定結果を紙片に記入するのが困難であるため、持ち帰った紙片に記入されている測定結果を誤認して測定結果を誤って入力した報告書が作成されるおそれがある。
【０００３】
一方、上記のような不都合を解消すべく、下記の特許文献には、パーソナルコンピュータと検査装置とを備えて構成された電気設備の検査判定装置（以下、単に「検査判定装置」ともいう）の発明が開示されている。この検査判定装置では、検査装置を使用して検査対象の電気設備等についての測定処理を実行することで測定データ生成し、生成した測定データをパーソナルコンピュータに転送してパーソナルコンピュータにおいて測定表や検査報告書等（以下、これらを総称して「帳票」ともいう）を作成することができるように構成されている。
【０００４】
具体的には、この検査判定装置による検査対象の検査および帳票の作成に際しては、まず、パーソナルコンピュータを操作して検査対象についてのチェックシートを生成し、生成したチェックシートを検査装置に送信する。次いで、検査装置を操作してチェックシート内の各項目毎の測定処理を実行する。続いて、検査装置をパーソナルコンピュータに接続し、上記の測定処理によって生成されたデータ（測定データ）をパーソナルコンピュータに送信する。この際には、測定データの保存に関する処理の手順として、「チェックシートにセットする／ＣＳＶ方式で保存する」を選択する。これにより、パーソナルコンピュータに保存されているチェックシートのフォーム内（各測定値入力セル内）に、ＣＳＶ方式で記録されている測定値が順次入力される。この後、このデータを印刷することにより、測定表や検査報告書等の帳票の作成が完了する。
【先行技術文献】
【特許文献】
【０００５】
【特許文献１】特開２００６−２００８９７号公報（第７−１１頁、第１−１１図）
【発明の概要】
【発明が解決しようとする課題】
【０００６】
ところが、上記特許文献に開示されている検査判定装置には、以下のような解決すべき問題点が存在する。すなわち、上記の検査判定装置では、検査装置において生成した測定データを検査装置からパーソナルコンピュータに送信し、測定データに記録されている測定値をパーソナルコンピュータにおいてチェックシートのフォーム内（測定値入力セル内）に入力することで帳票を作成する構成が採用されている。
【０００７】
この場合、上記したように、検査装置において生成されてパーソナルコンピュータに送信される測定データは、ＣＳＶ方式のデータ（すなわち、各測定値が文字列として記録されたデータ）で構成されている。また、この種の装置によって作成される帳票のデータは、各測定値の和や差を求めたり、予め規定された係数を測定値に乗除算して任意の値を求めたりすることができるように、入力される測定値が文字列ではなく、数値として保持されるデータ形式（スプレッドシート形式データや、データベース形式データ）で構成されることが多い。
【０００８】
ここで、一例として、検査装置（測定装置）における２つの測定チャンネルの測定結果をパーソナルコンピュータに送信して帳票を作成することを想定したときに、測定チャンネル１による測定値が「９８．９２Ｖ」で、測定チャンネル２による測定値が「１０２．１０Ｖ」であったときには、上記の測定データとして「CH01,098.92,V,CH02,102.10,V,」とのＣＳＶファイルが検査装置において生成される。このような、測定データがパーソナルコンピュータに送信されたときには、チェックシートにおける測定チャンネル１についての測定値入力セルには、「098.92」との文字列が入力されることで「098.92」との測定値が数値として保持され、測定チャンネル２についての測定値入力セルには、「102.10」との文字列が入力されたときに小数点以下第２位（最下位）の「0」が消去されて「102.1」との測定値が数値として保持される。
【０００９】
しかしながら、小数点以下の桁数が実際の測定値よりも少なく表記されたときには、そのような帳票を見た者が、表記されている測定値の測定精度について正しく認識するのが困難となる。したがって、検査装置（測定装置）の分野においては、帳票の作成に際して、取得した測定値における小数点以下最下位の値が「０」であったとしても、小数点以下の桁数を実際の測定値に合わせて正しく表記する必要がある。このため、上記の検査判定装置では、検査装置から送信された測定データ内の測定値をパーソナルコンピュータにおいてチェックシートの測定値入力セル内に入力するのに先立ち、測定データを参照して測定値における小数点以下の桁数を特定する作業、および測定値入力セルのセル書式における小数点以下の有効桁数を特定した桁数に設定する作業を実施する必要がある。
【００１０】
この結果、上記の検査判定装置では、測定値の入力に先立って実施する上記の作業の分だけ、帳票の作成が煩雑となっている現状がある。また、セル書式における小数点以下の有効桁数の設定を誤った場合には、実際の測定値における小数点以下の桁数とは異なる桁数の測定値が表記された帳票が作成され、これに起因して、帳票を見た者が、測定値の測定精度を誤って認識するおそれもある。
【００１１】
本発明は、かかる問題点に鑑みてなされたものであり、測定値における小数点以下の桁数が実際の測定値と同じ桁数で表記された帳票を作成し得る測定結果データを確実かつ容易に生成可能な測定データ処理装置、測定システムおよび測定データ処理用プログラムを提供することを主目的とする。
【課題を解決するための手段】
【００１２】
上記目的を達成すべく請求項１記載の測定データ処理装置は、入力される測定値が数値として保持される測定値入力セルが設けられた測定結果データ用テンプレートのテンプレートデータを記憶する記憶部と、前記測定値を示す第１の文字列を特定可能な第１の測定結果データを取得したときに、当該第１の測定結果データに基づいて当該第１の文字列を特定する第１の処理と、前記テンプレートデータにおける前記測定値入力セルに特定した前記第１の文字列を入力して第２の測定結果データを生成する第２の処理とを実行する処理部とを備え、前記処理部は、前記第１の処理によって特定した前記第１の文字列によって示されている前記測定値が小数を含んでいるときに、当該測定値における小数点以下の桁数を特定する第３の処理と、前記測定値入力セルのセル書式における小数点以下の有効桁数を前記第３の処理において特定した前記桁数に設定する第４の処理とを前記第２の処理に先立って実行する。
【００１３】
請求項２記載の測定データ処理装置は、請求項１記載の測定データ処理装置において、前記処理部は、前記測定値の少なくとも補助単位を示す第２の文字列が当該測定値を示す前記第１の文字列に対応付けられて前記第１の測定結果データに記録されているときに、前記第１の処理において当該第２の文字列を特定すると共に、前記測定値入力セルに対応付けられている第１の補助単位と前記第２の文字列に基づいて特定される第２の補助単位とを比較し、当該第２の補助単位が当該第１の補助単位とは相違するときに、前記第１の文字列を、当該第１の文字列に基づいて特定される前記測定値を前記第１の補助単位に対応する指数表記とした当該測定値に対応する新たな当該第１の文字列に変換し、かつ前記第２の文字列を、前記第１の補助単位を示す新たな当該第２の文字列に変換する第５の処理を前記第２の処理に先立って実行すると共に、前記第４の処理において、前記第１の補助単位に対応する指数表記の前記測定値を保持するように前記測定値入力セルのセル書式を設定する。
【００１４】
請求項３記載の測定データ処理装置は、請求項１または２記載の測定データ処理装置において、測定対象についての測定処理を実行可能に構成された測定装置から送信される前記第１の測定結果データを受信可能な通信部を備えている。
【００１５】
請求項４記載の測定システムは、請求項３記載の測定データ処理装置、および前記測定装置を備えて構成されている。
【００１６】
請求項５記載の測定データ処理用プログラムは、測定値を示す第１の文字列が記録された第１の測定結果データを取得したときに、当該第１の測定結果データに基づいて当該第１の文字列を特定する第１の処理と、入力される前記測定値が数値として保持される測定値入力セルが設けられた測定結果データ用テンプレートのテンプレートデータにおける当該測定値入力セルに特定した前記第１の文字列を入力して第２の測定結果データを生成する第２の処理とを測定データ処理装置の処理部に実行させると共に、前記第１の処理によって特定した前記第１の文字列によって示されている前記測定値が小数を含んでいるときに、当該測定値における小数点以下の桁数を特定する第３の処理と、前記測定値入力セルのセル書式における小数点以下の有効桁数を前記第３の処理において特定した前記桁数に設定する第４の処理とを前記第２の処理に先立って前記処理部に実行させる。
【００１７】
請求項６記載の測定データ処理用プログラムは、請求項５記載の測定データ処理用プログラムにおいて、前記測定値の少なくとも補助単位を示す第２の文字列が当該測定値を示す前記第１の文字列に対応付けられて前記第１の測定結果データに記録されているときに、前記第１の処理において当該第２の文字列を特定させると共に、前記測定値入力セルに対応付けられている第１の補助単位と前記第２の文字列に基づいて特定される第２の補助単位とを比較し、当該第２の補助単位が当該第１の補助単位とは相違するときに、前記第１の文字列を、当該第１の文字列に基づいて特定される前記測定値を前記第１の補助単位に対応する指数表記とした当該測定値に対応する新たな当該第１の文字列に変換する第５の処理を前記第２の処理に先立って前記処理部に実行させると共に、前記第４の処理において、前記処理部に、前記第１の補助単位に対応する指数表記の前記測定値を保持するように前記測定値入力セルのセル書式を設定させる。
【発明の効果】
【００１８】
請求項１記載の測定データ処理装置では、測定値を示す第１の文字列が記録された第１の測定結果データを取得し、その第１の測定結果データに基づいて第１の処理において特定した第１の文字列によって示されている測定値が小数を含んでいるときに、測定結果データ用テンプレートのテンプレートデータにおける測定値入力セルに第１の文字列を入力して第２の測定結果データを生成する第２の処理に先立ち、測定値における小数点以下の桁数を特定する第３の処理と、測定値入力セルのセル書式における小数点以下の有効桁数を第３の処理において特定した桁数に設定する第４の処理とを実行する。また、請求項５記載の測定データ処理用プログラムでは、上記のような処理を測定データ処理装置の処理部に実行させる。
【００１９】
したがって、請求項１記載の測定データ処理装置、そのような測定データ処理装置を備えて構成された測定システム、および請求項５記載の測定データ処理用プログラムによれば、第１の測定結果データの内容を解析して、測定値入力セルに入力される測定値の小数点以下の有効桁数を特定して手動で設定する煩雑な作業を行うことなく、第１の測定結果データに記録されている測定値における小数点以下の桁数に応じて、対応する測定値入力セルのセル書式における小数点以下の有効桁数が自動的に設定されるため、この種の装置（システム）の操作に不慣れな者が使用する場合であっても、小数位点以下の桁数が測定装置等から出力された実際の測定値と同じ桁数で保持される第２の測定結果データを確実かつ容易に生成させることができる。これにより、第２の測定結果データを表示または印刷した帳票を見た者に対して、その測定値の測定精度を正確かつ容易に認識させることができる。
【００２０】
請求項２記載の測定データ処理装置では、測定値の少なくとも補助単位を示す第２の文字列が第１の文字列に対応付けられて第１の測定結果データに記録されているときに、測定値入力セルに対応付けられている第１の補助単位と、第１の処理において特定した第２の文字列によって示されている第２の補助単位とを比較し、第２の補助単位が第１の補助単位とは相違するときに、第１の文字列を、第１の文字列に基づいて特定される測定値を第１の補助単位に対応する指数表記とした測定値に対応する新たな第１の文字列に変換し、かつ第２の文字列を、第１の補助単位を示す新たな第２の文字列に変換する第５の処理を第２の処理に先立って実行すると共に、第４の処理において、第１の補助単位に対応する指数表記の測定値を保持するように測定値入力セルのセル書式を設定する。また、請求項６記載の測定データ処理用プログラムでは、上記のような処理を測定データ処理装置の処理部に実行させる。
【００２１】
したがって、請求項２記載の測定データ処理装置、そのような測定データ処理装置を備えて構成された測定システム、および請求項６記載の測定データ処理用プログラムによれば、各測定値入力セルに対応付けられた第１の補助単位（すなわち、テンプレートデータの生成時に各測定対象毎に規定した補助単位）とは異なる第２の補助単位の測定値が記録された第１の測定結果データを取得した場合においても、各測定値入力セルに対応付けられた第１の補助単位に対応する指数表記の測定値が自動的に生成されて入力された第２の測定結果データを確実かつ容易に生成することができる。これにより、第２の測定結果データを表示または印刷した帳票を見たときに、テンプレートデータの生成当初に想定した補助単位とは異なる補助単位で測定値が表示されて測定値の大きさを誤って認識する事態を好適に回避することができる。
【００２２】
請求項３記載の測定データ処理装置では、測定装置から送信される第１の測定結果データを受信可能な通信部を備えている。また、請求項４記載の測定システムでは、請求項３記載の測定データ処理装置、および測定装置を備えて構成されている。したがって、請求項３記載の測定データ処理装置、および請求項４記載の測定システムによれば、測定装置から第１の測定結果データを回収して測定データ処理装置に転送する外部装置を備えることなく、測定装置から測定データ処理装置に第１の測定結果データを直接送信させて、処理対象の第１の測定結果データを取得することができる。
【図面の簡単な説明】
【００２３】
【図１】測定システム１００の構成を示す構成図である。
【図２】測定システム１００における測定装置１の構成を示す構成図である。
【図３】テンプレートデータＤｔ（測定結果データ用テンプレート）の一例について説明するための説明図である。
【図４】テンプレートデータＤｔ（測定結果データ用テンプレート）における測定値入力セルＣ１〜Ｃ４のセル書式を設定する処理について説明するための説明図である。
【図５】テンプレートデータＤｔ（測定結果データ用テンプレート）における測定値入力セルＣ１〜Ｃ４に測定値が入力された測定結果データＤ２（帳票）の一例について説明するための説明図である。
【図６】テンプレートデータＤｔ（測定結果データ用テンプレート）における測定値入力セルＣ１〜Ｃ４に測定値が入力された測定結果データＤ２（帳票）の他の一例について説明するための説明図である。
【発明を実施するための形態】
【００２４】
以下、本発明に係る測定データ処理装置、測定システムおよび測定データ処理用プログラムの実施の形態について、添付図面を参照して説明する。
【００２５】
図１に示す測定システム１００は、「測定システム」の一例であって、測定装置１、携帯情報端末２およびデータサーバ３を備えて構成されている。
【００２６】
測定装置１は、「測定装置」の一例であって、図２に示すように、測定部１１、通信部１２、操作部１３、表示部１４、処理部１５および記憶部１６を備え、測定対象についての電圧値、電流値および抵抗値などの各種の電気的パラメータを測定することができるように構成されている。測定部１１は、一例として、測定用ケーブルを介して測定対象に常時接続される複数の測定モジュール（図示せず）を備え、処理部１５の制御に従い、電圧値、電流値および抵抗値などの測定値のうちから各測定モジュール毎に予め指定された１つを測定し、その測定値Ｄ０を処理部１５に出力する。この場合、本例の測定装置１における測定部１１は、入力される信号に応じて測定レンジを自動的に変更するオートレンジ機能を備えて構成されている。
【００２７】
通信部１２は、一例として、ブルートゥース（Bluetooth：登録商標）規格などの近距離無線通信規格に準ずる無線通信が可能な通信アダプタで構成されている。この通信部１２は、処理部１５の制御に従い、携帯情報端末２などの各種無線通信機器との間で後述する測定結果データＤ１などの各種データを送受信する。操作部１３は、動作条件（測定条件）の入力操作が可能な操作スイッチを備え、スイッチ操作に応じた操作信号を処理部１５に出力する。表示部１４は、処理部１５の制御に従い、動作条件設定画面や測定結果表示画面等の各種の表示画面（図示せず）を表示する。
【００２８】
処理部１５は、測定装置１を総括的に制御する。具体的には、処理部１５は、測定部１１を制御して測定処理を実行させる。また、処理部１５は、測定部１１から出力される測定値Ｄ０に基づいて測定結果データＤ１を生成し、生成した測定結果データＤ１を記憶部１６に記憶させる。さらに、処理部１５は、測定値Ｄ０を表示部１４（測定結果表示画面）に表示させる。また、処理部１５は、予め規定された条件が満たされたときに、記憶部１６から測定結果データＤ１を読み出すと共に通信部１２を制御して携帯情報端末２等の外部装置に測定結果データＤ１を送信させる。
【００２９】
この場合、本例の測定システム１００（測定装置１）では、上記の測定結果データＤ１が「第１の文字列を特定可能な第１の測定結果データ」に相当し、測定値等が文字列で記録されたテキスト形式データで構成されている。なお、測定結果データＤ１のデータ構造（書式）については、後に具体的な例を挙げて詳細に説明する。記憶部１６は、処理部１５の演算結果や測定結果データＤ１などを記憶する。
【００３０】
一方、携帯情報端末２は、データサーバ３と相まって「測定データ処理装置」を構成する装置であって、一例として、測定データ処理用プログラムＤｐ２をインストールした既存のタブレット端末やスマートフォンで構成されている。なお、広義には、「タブレット端末」は「タッチパネル等のポインティングデバイスと表示装置とを備えたＰＤＡ（携帯情報端末）」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００３１】
この場合、本例では、図１に示すように、通信部２１，２２、操作部２３、表示部２４、処理部２５および記憶部２６を備えたタブレット端末で携帯情報端末２が構成されているものとする。なお、実際の携帯情報端末２は、上記の各構成要素２１〜２６の他に、「タブレット端末」としての機能を実現するための各種の構成要素を備えているが、本願発明についての理解を容易とするために、それらの構成要素についての図示および説明を省略する。
【００３２】
通信部２１は、「通信部」の一例であって、前述した測定装置１の通信部１２と同様にしてブルートゥース等の近距離無線通信規格に準ずる無線通信が可能な通信アダプタで構成されている。この通信部２１は、後述するように、処理部２５の制御に従い、測定装置１から送信される測定結果データＤ１などの受信処理、および測定装置１に対する各種の制御信号の送信処理を実行する。通信部２２は、一例として、無線ＬＡＮ通信アダプタで構成され、測定システム１００の使用者が構築した通信ネットワークＮに接続されているデータサーバ３等の外部装置に接続可能に構成されると共に、後述するように、処理部２５の制御に従い、通信ネットワークＮを介してデータサーバ３に接続して、測定結果データＤ１やテンプレートデータＤｔなどを送受信する。
【００３３】
操作部２３は、一例として、表示部２４の前面側に配設されたタッチパネルや、携帯情報端末２を「タブレット端末」としての機能させるための各種の操作スイッチを備え、操作に応じた操作信号を処理部２５に出力する。表示部２４は、一例として液晶表示パネルを備え、処理部２５の制御に従い、図示しない測定結果表示画面などの各種の表示画面を表示する。
【００３４】
処理部２５は、携帯情報端末２を総括的に制御する。この場合、本例の測定システム１００では、携帯情報端末２における処理部２５と、後述するデータサーバ３における処理部３５とが相まって「処理部」が構成されている。具体的には、処理部２５は、測定データ処理用プログラムＤｐ２の記述に従い、通信部２２を介してデータサーバ３からテンプレートデータＤｔを取得して記憶部２６に記憶させると共に、後述するようにデータサーバ３においてテンプレートデータＤｔを用いて生成される帳票を模した測定結果表示画面を表示部２４に表示させる。
【００３５】
また、処理部２５は、測定データ処理用プログラムＤｐ２の記述に従い、通信部２１を介して測定装置１から測定結果データＤ１を取得すると共に、取得した測定結果データＤ１を記憶部２６に記憶させる。さらに、処理部２５は、測定データ処理用プログラムＤｐ２の記述に従い、上記のように記憶部２６に記憶させた測定結果データＤ１（または、後述するように、測定結果データＤ１の内容の一部を改変した測定結果データＤ１）を通信部２２から通信ネットワークＮを介してデータサーバ３に送信する。なお、測定結果データＤ１の取得時からデータサーバ３への送信時までに処理部２５によって実行される処理については、後に具体的な例を挙げて詳細に説明する。
【００３６】
記憶部２６は、上記の測定データ処理用プログラムＤｐ２、テンプレートデータＤｔおよび測定結果データＤ１などを記憶する。この場合、本例の測定システム１００では、携帯情報端末２における記憶部２６と、後述するデータサーバ３における記憶部３６とが相まって「記憶部」が構成されている。なお、測定データ処理用プログラムＤｐ２や、テンプレートデータＤｔおよび測定結果データＤ１などのデータを記憶するための「記憶部」は、携帯情報端末２の内蔵メモリで構成された記憶部２６に限定されず、携帯情報端末２に装着された各種のリムーバブルメモリを使用することもできる。
【００３７】
データサーバ３は、前述したように携帯情報端末２と相まって「測定データ処理装置」を構成する。このデータサーバ３は、測定装置１や携帯情報端末２の使用者（所有者）が、上記のテンプレートデータＤｔおよび測定結果データＤ１や、後述するようにテンプレートデータＤｔを用いて生成される測定結果データＤ２などの各種のデータを保管するためのサーバであって、一例として、測定データ処理用プログラムＤｐ３がインストールされたサーバーマシン（または、パーソナルコンピュータ）で構成されている。具体的には、データサーバ３は、図１に示すように、印刷部３１、通信部３２、操作部３３、表示部３４、処理部３５および記憶部３６を備えて構成されている。
【００３８】
印刷部３１は、後述するように、処理部３５の制御下で測定結果データＤ２などを印刷する。通信部３２は、処理部３５の制御に従い、通信ネットワークＮを介して携帯情報端末２や、携帯情報端末２以外の携帯端末（図示せず）およびパーソナルコンピュータ（図示せず）などの外部装置に接続し、テンプレートデータＤｔや測定結果データＤ１などを送受信する。操作部３３は、マウス等のポインティングデバイスやキーボードで構成され、これらの操作に応じた操作信号を処理部３５に出力する。表示部３４は、処理部３５の制御下で帳票を模した画面などを表示する。
【００３９】
処理部３５は、データサーバ３を総括的に制御する。具体的には、処理部３５は、測定データ処理用プログラムＤｐ３の記述に従い、携帯情報端末２からの要求に応じて通信部３２から携帯情報端末２にテンプレートデータＤｔを送信する。また、処理部３５は、測定データ処理用プログラムＤｐ３の記述に従い、携帯情報端末２から送信されて通信部３２によって受信された測定結果データＤ１を記憶部３６に記憶させると共に、測定結果データＤ１に記録されている情報をテンプレートデータＤｔに入力することで測定結果データＤ２を生成する。
【００４０】
さらに、処理部３５は、測定データ処理用プログラムＤｐ３の記述に従い、印刷部３１を制御して測定結果データＤ２を印刷させる。なお、携帯情報端末２へのテンプレートデータＤｔの送信や、測定結果データＤ１の取得時から測定結果データＤ２の生成および印刷に関する処理については、後に具体的な例を挙げて詳細に説明する。記憶部３６は、上記の測定データ処理用プログラムＤｐ３、テンプレートデータＤｔおよび測定結果データＤ１，Ｄ２などを記憶する。なお、データサーバ３については、この測定システム１００専用のサーバを用意して使用することもできるが、テンプレートデータＤｔ、測定結果データＤ１，Ｄ２などを記録可能な既存のデータサーバをデータサーバ３として使用することもできる。
【００４１】
この場合、本例の測定システム１００では、携帯情報端末２にインストールされた上記の測定データ処理用プログラムＤｐ２、およびデータサーバ３にインストールされた上記の測定データ処理用プログラムＤｐ３の双方が「測定データ処理用プログラム」に相当する。
【００４２】
また、本例の測定システム１００では、テンプレートデータＤｔが「測定結果データ用テンプレートのテンプレートデータ」に相当する。具体的には、図３に示すように、テンプレートデータＤｔは、後述するように測定装置１を用いた測定処理によって取得される測定値（この例では、電圧値）が入力される測定値入力セルＣ１〜Ｃ４（「入力される測定値が数値として保持される測定値入力セル」の一例）と、測定値入力セルＣ１，Ｃ２に入力される測定値の差分値が自動的に演算されて入力される演算結果表示セルＣａと、測定値入力セルＣ３，Ｃ４に入力される測定値の差分値が自動的に演算されて入力される演算結果表示セルＣｂとが設けられている。
【００４３】
このテンプレートデータＤｔは、一例として、測定システム１００の使用者が、測定作業を実施すべき測定対象毎に、データサーバ３の操作部３３を操作してデータサーバ３上で生成して記憶部３６に記憶させたり、データサーバ３以外のパーソナルコンピュータ上で生成してデータサーバ３に転送して記憶部３６に記憶させたりすることができる。
【００４４】
次に、測定システム１００を用いた帳票の作成作業について、添付図面を参照して説明する。
【００４５】
なお、測定装置１（測定部１１）における各測定モジュールの測定対象への接続、携帯情報端末２への測定データ処理用プログラムＤｐ２のインストール、データサーバ３への測定データ処理用プログラムＤｐ３のインストール、テンプレートデータＤｔの生成およびデータサーバ３（記憶部３６）への記憶、並びに測定装置１の通信部１２と携帯情報端末２の通信部２２との間におけるブルートゥースのペアリングなどについては既に完了しているものとする。また、本例の測定システム１００では、データサーバ３が通信ネットワークＮに常時接続されているものとする。
【００４６】
まず、携帯情報端末２において測定データ処理用プログラムＤｐ２を起動させると共に、通信ネットワークＮを介して携帯情報端末２（通信部２２）をデータサーバ３（通信部３２）に接続する。次いで、操作部２３（タッチパネル）を操作することにより、データサーバ３（記憶部３６）に記憶されている複数のテンプレートデータＤｔのなかから、測定作業を実行すべき測定対象についてのテンプレートデータＤｔを選択する。この際に、処理部２５は、測定データ処理用プログラムＤｐ２の記述に従い、選択されたテンプレートデータＤｔをデータサーバ３から読み出して記憶部２６に記憶させる。これにより、測定作業を開始する準備が整う。
【００４７】
次いで、測定装置１が設置されている測定現場に携帯情報端末２を携行し、操作部２３を操作して測定データ処理用プログラムＤｐ２を起動させる。次いで、操作部２３を操作して、測定作業を開始する測定対象についてのテンプレートデータＤｔを選択する。この際に、処理部２５は、測定データ処理用プログラムＤｐ２の記述に従い、図３に示すように、テンプレートデータＤｔの内容（帳票：報告書）を表示部２４に表示させる。
【００４８】
この場合、この帳票では、一例として、１つ目の測定モジュールが接続されている測定対象を示す「端子１」との文字列の右横に、測定値入力セルＣ１、および測定値入力セルＣ１に入力される測定値について規定された物理単位を示す「Ｖ」との文字が並んで表示され、２つ目の測定モジュールが接続されている測定対象を示す「端子２」との文字列の右横に、測定値入力セルＣ２、および測定値入力セルＣ２に入力される測定値について規定された物理単位を示す「Ｖ」との文字が並んで表示され、かつ「差分値」を示す「Difference」との文字列の右横に、演算結果表示セルＣａ、および演算結果表示セルＣａに入力される測定値について規定された物理単位を示す「Ｖ」との文字が並んで表示される。
【００４９】
また、この帳票では、一例として、３つ目の測定モジュールが接続されている測定対象を示す「端子３」との文字列の右横に、測定値入力セルＣ３、および測定値入力セルＣ３に入力される測定値について規定された物理単位を示す「Ｖ」との文字が並んで表示され、４つ目の測定モジュールが接続されている測定対象を示す「端子４」との文字列の右横に、測定値入力セルＣ４、および測定値入力セルＣ４に入力される測定値について規定された物理単位を示す「Ｖ」との文字が並んで表示され、かつ「差分値」を示す「Difference」との文字列の右横に、演算結果表示セルＣｂ、および演算結果表示セルＣｂに入力される測定値について規定された物理単位を示す「Ｖ」との文字が並んで表示される。
【００５０】
この場合、このテンプレートデータＤｔでは、測定値入力セルＣ１〜Ｃ４や演算結果表示セルＣａ，Ｃｂに入力される測定値について規定された「Ｖ」との物理単位と組み合わされる補助単位（接頭辞）が存在せず、測定値入力セルＣ１〜Ｃ４や演算結果表示セルＣａ，Ｃｂに「補助単位なし」との「第１の補助単位」が対応付けられている。なお、上記のテンプレートデータＤｔの例とは相違するが、測定値入力セルＣ１〜Ｃ４および演算結果表示セルＣａ，Ｃｂのうちのいずれかに関し、一例として、「Ｖ」との物理単位と組み合わせて「ｍ」、「ｋ」、「Ｍ」などの補助単位（接頭辞）が対応付けられているときには、これらの補助単位が「第１の補助単位」に相当する。
【００５１】
続いて、測定装置１の操作部２３を操作して測定処理を開始させる。この際には、一例として、「端子１」に接続されている測定モジュールによって「９８．９２Ｖ」の電圧値が測定され、「端子２」に接続されている測定モジュールによって「１０２．１０Ｖ」の電圧値が測定され、「端子３」に接続されている測定モジュールによって「８７０．５ｍＶ」の電圧値が測定され、かつ「端子４」に接続されている測定モジュールによって「９７６．０ｍＶ」の電圧値が測定されて測定値Ｄ０が測定部１１から処理部１５に出力される。なお、上記の例は、「端子３」に接続されている測定モジュール、および「端子４」に接続されている測定モジュールにおいて、「Ｖ」単位での測定処理が実行されたものの、その測定値（電圧値）が小さいことに起因して、オートレンジ機能によって「ｍＶ」単位での測定処理が実行されたものとする。
【００５２】
また、処理部１５は、測定部１１から出力された測定値Ｄ０に基づき、各測定モジュール毎の測定結果を表示部１４に表示させると共に（図示せず）、各測定モジュール毎の測定値を示すテキスト形式の測定結果データＤ１を生成して記憶部１６に記憶させる。この際には、一例として「[98.92,,V][102.10,,V][870.5,m,V][976.0,m,V]」との文字列からなる測定結果データＤ１が生成される。さらに、処理部１５は、測定結果データＤ１の生成が完了したときに、通信部１２を介して携帯情報端末２（通信部２１）に測定結果データＤ１を送信する。
【００５３】
なお、この測定結果データＤ１では、「[」と「]」との間に、各測定モジュール毎の測定結果における「測定値」、「補助単位」および「物理単位」を「,」で区切って記述する書式が採用されている。具体的には、上記の測定結果データＤ１の例では、「98.92」、「102.10」、「870.5」および「976.0」が「測定値を示す第１の文字列」に相当し、かつ「m」が「測定値の補助単位を示す第２の文字列」に相当すると共に、「V」が「測定値の物理単位を示す第３の文字列」となっている。また、「端子１」や「端子２」に接続されている測定モジュールによる測定結果を示した「[98.92,,V]」や「[102.10,,V]」との文字列における「,,」との記載（「,」および「,」の間に文字列が存在しない記載）は、「測定値の補助単位」が存在しないことを示している。
【００５４】
この場合、各測定モジュール毎の測定値を示す「第１の測定結果データ」としては、上記の例示にような書式に代えて、「[98.92][V][102.10][V][870.5][mV][976.0][mV]」のように、「測定値を示す第１の文字列」と、「測定値の補助単位を示す第２の文字列および測定値の物理単位を示す第３の文字列」とを分けて記述することもできる。また、「測定値の補助単位を示す第２の文字列および測定値の物理単位を示す第３の文字列」については、「[][V]」や「[m][V]」のように分けて記述することもできる。さらに、補助単位（接頭辞）が存在しないときに文字列を記載しない書式に代えて、「0」、「x」、「/」および「 」（スペース）などの予め規定した文字によって補助単位（接頭辞）が存在しないことを示す書式を採用することもできる。
【００５５】
一方、携帯情報端末２では、測定装置１から送信された測定結果データＤ１を通信部２１が受信して処理部２５に出力し、処理部２５が測定結果データＤ１を記憶部２６に記憶させる。次いで、処理部２５は、測定データ処理用プログラムＤｐ２の記述に従い、「第１の処理」を開始して、測定結果データＤ１に基づき、「第１の文字列」および「第２の文字列」を特定する。なお、測定結果データＤ１がテキスト形式データで構成されている本例では、測定結果データＤ１内に記録されている文字列のうちのいずれの文字列が「第１の文字列」で、いずれの文字列が「第２の文字列」であるかを特定する処理が「第１の処理」に相当する。
【００５６】
次いで、処理部２５は、測定データ処理用プログラムＤｐ２の記述に従い、「第５の処理」を開始する。具体的には、処理部２５は、まず、テンプレートデータＤｔの各測定値入力セルＣ１〜Ｃ４に対応付けられている補助単位（「第１の補助単位」の一例）と、測定結果データＤ１に記録されている各測定値に対応付けられている補助単位（上記の「第１の処理」において特定した「第２の文字列」によって示されている補助単位：「第２の補助単位」の一例）とを比較する。
【００５７】
この際に、測定値入力セルＣ１〜Ｃ４には、前述したように、それぞれ「V」との物理単位と組み合わされて「補助単位なし」との「第１の補助単位」が対応付けられている。これに対して、上記の例の測定結果データＤ１では、測定値入力セルＣ１，Ｃ２に入力される測定値（１つ目の測定モジュールおよび２つ目の測定モジュールによって測定された電圧値）には、それぞれ「V」との物理単位と組み合わされて、補助単位を示す文字列を存在させないことで「補助単位なし」との「第２の補助単位」が対応付けられているものの、測定値入力セルＣ３，Ｃ４に入力される測定値（３つ目の測定モジュールおよび４つ目の測定モジュールによって測定された電圧値）には、オートレンジ機能によって測定レンジが変更されたことで、それぞれ「V」との物理単位と組み合わされて「m」との「第２の補助単位」が対応付けられている（「第２の補助単位が第１の補助単位とは相違するとき」の一例）。
【００５８】
したがって、処理部２５は、測定データ処理用プログラムＤｐ２の記述に従い、測定値入力セルＣ３に入力される測定値を示す「870.5」との文字列（第１の文字列）を、その文字列に基づいて特定される測定値を「補助単位なし」との「第１の補助単位」に対応する指数表記とした測定値を示す「870.5E-03」との文字列（新たな第１の文字列）に変換すると共に、測定値入力セルＣ４に入力される測定値を示す「976.0」との文字列（第１の文字列）を、その文字列に基づいて特定される測定値を「補助単位なし」との「第１の補助単位」に対応する指数表記とした測定値を示す「976.0E-03」との文字列（新たな第１の文字列）に変換する。
【００５９】
また、処理部２５は、測定データ処理用プログラムＤｐ２の記述に従い、測定値入力セルＣ３に入力される測定値に対応付けられている「m」との文字列（第２の文字列）を消去することにより、測定値入力セルＣ３に入力される測定値に対応付けられた補助単位（第１の補助単位：この例では、補助単位なし）に変換すると共に、測定値入力セルＣ４に入力される測定値に対応付けられている「m」との文字列（第２の文字列）を消去することにより、測定値入力セルＣ４に入力される測定値に対応付けられた補助単位（第１の補助単位：この例では、補助単位なし）に変換する。
【００６０】
なお、補助単位を示す文字を存在させないことで、物理単位と組み合わされる補助単位が「補助単位なし」であることを示す本例の測定結果データＤ１の例では、「m」との文字を削除する処理（「mV」との文字列を「V」に変更する処理）が、「新たな第２の文字列に変換する処理」に相当する。また、前述したように「0」、「x」、「/」および「 」などの文字列によって「補助単位なし」を示すデータ構成を採用した場合には、「m」を「0」、「x」、「/」および「 」などに変更する処理が「新たな第２の文字列に変換する処理」に相当する。これにより、「第５の処理」が完了する。
【００６１】
次いで、上記のような文字列の変換処理が完了したときに、処理部２５は、変換後の各文字列を測定結果データＤ１内の対応する文字列に上書きして新たな測定結果データＤ１を生成し、生成した測定結果データＤ１をする。これにより、「[98.92,,V][102.10,,V][870.5E-03,,V][976.0E-03,,V]」との文字列が記録された新たな測定結果データＤ１が記憶部２６に記憶された状態となり、測定装置１から携帯情報端末２への測定結果の回収作業が完了する。
【００６２】
なお、テンプレートデータＤｔと測定結果データＤ１とで、対応付けられた補助単位が相違する測定値が存在した本例では、新たな測定結果データＤ１を生成する上記の処理が完了した時点において、後述するようにデータサーバ３において実施される処理と同様の処理が実行されて、図５に示すように、テンプレートデータＤｔの各測定値入力セルＣ１〜Ｃ４に対応する測定値が入力された帳票が携帯情報端末２の表示部２４に表示されるが、これらの処理については、データサーバ３において実行される処理として後に詳細に説明する。
【００６３】
この場合、「測定データ処理装置」の一部を携帯情報端末２によって構成している本例の測定システム１００では、他の使用者が使用する可能性があるテンプレートデータＤｔや、他の測定対象についての測定結果データＤ１が保存されているデータサーバ３とは離れた場所に測定装置１を設置している本例のような環境下においても、測定装置１を測定対象から取り外してデータサーバ３の設置場所に搬送することなく、測定装置１が設置されている場所（測定対象の場所）に携帯情報端末２を携行することで測定装置１から測定結果データＤ１を取得することができる。また、測定装置１から取得した測定結果データＤ１の内容を携帯情報端末２の表示部２４に表示させることにより、例えば、測定装置１（測定部１１）による測定処理にエラーが生じているときに、その場で測定処理を再実行させて有効な測定結果データＤ１を取得することができる。
【００６４】
続いて、携帯情報端末２を測定現場から持ち帰り、通信ネットワークＮを介してデータサーバ３（通信部３２）に接続する。次いで、携帯情報端末２の操作部２３を操作して測定結果データＤ１をデータサーバ３に送信する。この際に、データサーバ３では、処理部３５が、通信ネットワークＮおよび通信部３２を介して測定結果データＤ１を取得したときに（「第１の測定結果データを取得したとき」の一例）、携帯情報端末２から送信された測定結果データＤ１を記憶部３６に記憶させると共に、測定結果データＤ１に記録されている各測定値を、テンプレートデータＤｔの各測定値入力セルＣ１〜Ｃ４に入力して測定結果データＤ２（「第２の測定結果データ」の一例）を生成する。
【００６５】
具体的には、処理部３５は、測定データ処理用プログラムＤｐ３の記述に従い、まず、「第１の処理」を開始して、測定結果データＤ１に基づき、「第１の文字列」および「第２の文字列」を特定する。次いで、処理部３５は、「第３の処理」を開始する。この「第３の処理」では、測定結果データＤ１に記録されている上記の「第１の文字列」に基づいて特定される各測定値が小数を含んでいるか否かを判別する。この際に、「98.92」、「102.10」、「870.5E-03」および「976.0E-03」との文字列が「第１の文字列として測定結果データＤ１に記録されている本例では、各測定値が小数を含んでいるため、処理部３５は、それらの文字列に基づいて特定される各測定値における小数点以下の桁数を特定する。
【００６６】
この際には、測定値入力セルＣ１に入力される測定値（測定装置１の測定部１１における１つ目の測定モジュールによって測定された電圧値）、および測定値入力セルＣ２に入力される測定値（測定装置１の測定部１１における２つ目の測定モジュールによって測定された電圧値）の２つについては、小数点以下の桁数が２桁であると特定され、測定値入力セルＣ３に入力される測定値（測定装置１の測定部１１における３つ目の測定モジュールによって測定された電圧値）、および測定値入力セルＣ４に入力される測定値（測定装置１の測定部１１における４つ目の測定モジュールによって測定された電圧値）の２つについては、小数点以下の桁数が１桁であると特定される。以上により、「第３の処理」が完了する。
【００６７】
次いで、処理部３５は、測定結果データＤ１に記録されている上記の「第１の文字列」に基づいて特定される各測定値が指数表記されているか否かを判別する。この際には、測定値入力セルＣ３，Ｃ４に入力される測定値が、「E-03」との指数表記であると特定される。続いて、処理部３５は、測定データ処理用プログラムＤｐ３の記述に従い、「第４の処理」を開始する。この「第４の処理」では、処理部３５は、各測定値における小数点以下の桁数、および各測定値が指数表記であるか否かに応じて、テンプレートデータＤｔにおける各測定値入力セルＣ１〜Ｃ４のセル書式を設定する。
【００６８】
具体的には、処理部３５は、図４に示すように、入力される測定値が小数点以下２桁の通常の数値形式の値であると特定した測定値入力セルＣ１，Ｃ２については、「0.00」との数値形式で測定値を保持するように設定する。また、測定値入力セルＣ１，Ｃ２に入力される測定値の差分値が演算されて入力される演算結果表示セルＣａについても、測定値入力セルＣ１，Ｃ２に設定したセル書式と同様に「0.00」との数値形式で測定値を保持するように設定する（「小数点以下の有効桁数」を「２桁」に設定する処理の一例）。
【００６９】
一方、入力される測定値が小数点以下１桁で「E-03」との指数表記の値であると特定した測定値入力セルＣ３，Ｃ４については、「0.0E-03」との数値形式で測定値を保持するように設定する。また、測定値入力セルＣ３，Ｃ４に入力される測定値の差分値が演算されて入力される演算結果表示セルＣｂについても、測定値入力セルＣ３，Ｃ４に設定したセル書式と同様に「0.0E-03」との数値形式で測定値を保持するように設定する（「小数点以下の有効桁数」を「１桁」に設定すると共に、「E-03」との指数表記の測定値を保持するように設定する処理の一例）。以上により、「第４の処理」が完了する。
【００７０】
次いで、処理部３５は、測定データ処理用プログラムＤｐ３の記述に従い、「第２の処理」を開始する。具体的には、処理部３５は、図５に示すように、測定結果データＤ１に記録されている上記の各「第１の文字列」に基づき、テンプレートデータＤｔの測定値入力セルＣ１に「98.92」との測定値を入力し、測定値入力セルＣ２に「102.10」との測定値を入力し、かつ演算結果表示セルＣａに「98.92」と「102.10」との差である「3.18」との値を入力すると共に、テンプレートデータＤｔの測定値入力セルＣ３に「870.5E-03」との測定値を入力し、測定値入力セルＣ４に「976.0E-03」との測定値を入力し、かつ演算結果表示セルＣｂに「870.5E-03」と「976.0E-03」との差である「105.5E-03」との値を入力する。
【００７１】
続いて、処理部３５は、各測定値を入力したテンプレートデータＤｔを測定結果データＤ２として記憶部３６に記憶させる。以上により、「第２の処理」が完了し、「第２の測定結果データ」の一例である測定結果データＤ２の生成が完了する。また、処理部３５は、生成した測定結果データＤ２に基づき、図５に示す帳票を表示部３４に表示させると共に、操作部３３の操作によって帳票の出力を指示されたときに、印刷部３１を制御して測定結果データＤ２を紙面に印刷させる。これにより、紙面による帳票の作成作業が完了する。なお、測定結果データＤ２に基づく帳票の表示や印刷については、通信ネットワークＮに接続されている図示しないパーソナルコンピュータを用いてデータサーバ３（記憶部３６）から測定結果データＤ２を読み出して実行することもでききる。
【００７２】
このように、このデータサーバ３では、測定値を示す「第１の文字列」が記録された測定結果データＤ１を取得し、その測定結果データＤ１に基づいて「第１の処理」において特定した「第１の文字列」によって示されている測定値が小数を含んでいるときに、測定結果データ用テンプレートのテンプレートデータＤｔにおける測定値入力セルＣ１〜Ｃ４に「第１の文字列」を入力して測定結果データＤ２を生成する「第２の処理」に先立ち、測定値における小数点以下の桁数を特定する「第３の処理」と、測定値入力セルＣ１〜Ｃ４のセル書式における小数点以下の有効桁数を「第３の処理」において特定した桁数に設定する「第４の処理」とを実行する。また、この測定データ処理用プログラムＤｐ３では、上記のような処理を「測定データ処理装置の処理部」としてのデータサーバ３の処理部３５に実行させる。
【００７３】
したがって、このデータサーバ３、測定システム１００および測定データ処理用プログラムＤｐ３によれば、測定結果データＤ１の内容を解析して、測定値入力セルＣ１〜Ｃ４に入力される測定値の小数点以下の有効桁数を特定して手動で設定する煩雑な作業を行うことなく、測定結果データＤ１に記録されている測定値における小数点以下の桁数に応じて、対応する測定値入力セルＣ１〜Ｃ４のセル書式における小数点以下の有効桁数が自動的に設定されるため、この種の装置（システム）の操作に不慣れな者が使用する場合であっても、小数位点以下の桁数が測定装置１から出力された実際の測定値と同じ桁数で保持される測定結果データＤ２を確実かつ容易に生成させることができる。これにより、測定結果データＤ２を表示または印刷した帳票を見た者に対して、その測定値の測定精度を正確かつ容易に認識させることができる。
【００７４】
また、この携帯情報端末２およびデータサーバ３では、測定値の少なくとも補助単位（本例では、補助単位および物理単位）を示す「第２の文字列」が「第１の文字列」に対応付けられて測定結果データＤ１に記録されているときに、携帯情報端末２の処理部２５が、測定値入力セルＣ１〜Ｃ４に対応付けられている「第１の補助単位」と、「第１の処理」において特定した「第２の文字列」によって示されている「第２の補助単位」とを比較し、「第２の補助単位」が「第１の補助単位」とは相違するときに、「第１の文字列」を、「第１の文字列」に基づいて特定される測定値を「第１の補助単位」に対応する指数表記とした測定値に対応する新たな「第１の文字列」に変換し、かつ「第２の文字列」を、「第１の補助単位」を示す新たな「第２の文字列」に変換する「第５の処理」を「第２の処理」に先立って実行すると共に、データサーバ３の処理部３５が、「第４の処理」において、「第１の補助単位」に対応する指数表記の測定値を保持するように測定値入力セルＣ１〜Ｃ４のセル書式を設定する。また、この測定データ処理用プログラムＤｐ２，Ｄｐ３では、上記のような処理を「測定データ処理装置の処理部」としての携帯情報端末２の処理部２５およびデータサーバ３の処理部３５に実行させる。
【００７５】
したがって、この携帯情報端末２、データサーバ３、測定システム１００および測定データ処理用プログラムＤｐ２，Ｄｐ３によれば、各測定値入力セルＣ１〜Ｃ４に対応付けられた補助単位（すなわち、テンプレートデータＤｔの生成時に各測定対象毎に規定した補助単位）とは異なる補助単位の測定値が記録された測定結果データＤ１を取得した場合においても、各測定値入力セルＣ１〜Ｃ４に対応付けられた補助単位に対応する指数表記の測定値が自動的に生成されて入力された測定結果データＤ２を確実かつ容易に生成することができる。これにより、測定結果データＤ２を表示または印刷した帳票を見たときに、テンプレートデータＤｔの生成当初に想定した補助単位とは異なる補助単位で測定値が表示されて測定値の大きさを誤って認識する事態を好適に回避することができる。
【００７６】
さらに、この携帯情報端末２では、測定装置１から送信される測定結果データＤ１を受信可能な通信部２１を備えている。また、この測定システム１００では、上記の携帯情報端末２および測定装置１を備えて構成されている。したがって、この携帯情報端末２および測定システム１００によれば、「測定装置」から測定結果データＤ１（第１の測定結果データ）を回収して「測定データ処理装置」に転送する外部装置を備えることなく、測定装置１から携帯情報端末２に測定結果データＤ１を直接送信させて、処理対象の測定結果データＤ１を取得することができる。
【００７７】
なお、「測定データ処理装置」および「測定システム」の構成や、「測定データ処理用プログラム」の処理内容については、上記の例に限定されない。例えば、測定値等が文字列で記録されたテキスト形式データの測定結果データＤ１を例示して説明したが、「第１の測定結果データ」は、テキスト形式データに限定されず、「第１の文字列」や「第２の文字列」を特定可能な符号が記録されたバイナリ形式データで構成することもできる。このような「第１の測定結果データ」を採用する場合には、上記の符号を文字列に置き換える処理が「第１の処理」に相当する。
【００７８】
また、テンプレートデータＤｔの測定値入力セルＣ１〜Ｃ４に対応付けられた「第１の補助単位」と、測定結果データＤ１に記録されている測定値に対応付けられた「第２補助単位」とが相違するときに、測定結果データＤ１内に記録されている「測定値を示す文字列」を「第１の補助単位」に対応する「指数表記の測定値を示す文字列」に変換する処理を実行する例について説明したが、このような処理に代えて、測定結果データＤ１内に記録されている「測定値を示す文字列」を「第１の補助単位」に対応する「整数および小数からなる測定値を示す文字列」に変換する処理を実行することもできる。
【００７９】
具体的には、「補助単位なし」との「第１の補助単位」が関連付けられている測定値入力セルＣ３に入力される測定値が「８７０．５ｍＶ」で、「補助単位なし」との「第１の補助単位」が関連付けられている測定値入力セルＣ４に入力される測定値が「９７６．０ｍＶ」であった上記の例において、「870.5」との「第１の文字列」を「0.8705」との「新たな第１の文字列」に変換し、かつ「976.0」との「第１の文字列」を「0.9760」との「新たな第１の文字列」に変換する処理を実行して新たな測定結果データＤ１を生成する構成・処理方法を採用することができる。このような構成・処理方法を採用した場合においても、「第２の処理」において、変換後の「第１の文字列」を測定値入力セルＣ３，Ｃ４に入力することにより、図６に示すように、テンプレートデータＤｔのＣ３，Ｃ４に対応付けられている「第１の補助単位」に対応する「0.8705」や「0.9760」との測定値を測定値入力セルＣ３，Ｃ４に入力して保持させることができるため、指数表記の測定値を入力して保持させる上記の構成・処理方法と同様の効果を奏することができる。
【００８０】
さらに、「第２の補助単位」と共に「物理単位」を示す「V」等の文字列を特定可能に記録した測定結果データＤ１を例示して説明したが、例えば、測定値が電圧値であることが予め規定されているときや、測定値が電流値であることが予め規定されているとき（すなわち、「物理単位」が異なる可能性がない環境下で使用するとき）に、「物理単位」を示す文字列を特定可能な情報を含ませずに「第１の測定結果データ」を構成することもできる。
【００８１】
また、携帯情報端末２およびデータサーバ３が相まって「測定データ処理装置」を構成する例について説明したが、測定システム１００における携帯情報端末２において実行した処理、およびデータサーバ３において実行した処理を１台の「処理装置」において実行するように構成することもできる。この場合、１台の「処理装置」によって「測定データ処理装置」を構成する際に、据え置き型の「処理装置（デスクトップ型のパーソナルコンピュータやサーバーマシン等）」を採用する場合には、そのような「処理装置」の設置場所に可搬型の「測定装置」を携行して測定結果データＤ１を送信すればよい。また、可搬型の「処理装置（ノート型のパーソナルコンピュータやタブレット端末等）」を採用する場合には、「測定装置」の設置場所（測定場所）に「処理装置」を携行し、その現場において帳票を作成することができる。
【００８２】
さらに、「測定データ処理装置」を構成する携帯情報端末２に対して測定装置１から測定結果データＤ１を直接送信させる使用方法を例に挙げて説明したが、「測定データ処理装置」が取得する「第１の測定結果データ」は、「測定データ処理装置」とは異なる外部装置を経由して取得するデータであってもよい。加えて、「測定データ処理装置」においてデータ処理する「測定値」は、「電圧値」、「電流値」および「抵抗値」に限定されず、各種の物理量（電力量や位相などの電気的パラメータ、並びに温度、湿度、輝度（光度）、照度、歪み、雨量および流量等の各種パラメータ）を対象とすることができる。
【符号の説明】
【００８３】
１００  測定システム
１  測定装置
２  携帯情報端末
３  データサーバ
１１  測定部
１２，２１，２２，３２  通信部
１３，２３，３３  操作部
１４，２４，３４  表示部
１５，２５，３５  処理部
１６，２６，３６  記憶部
３１  印刷部
Ｃ１〜Ｃ４  測定値入力セル
Ｃａ，Ｃｂ  演算結果表示セル
Ｄ０  測定値
Ｄ１，Ｄ２  測定結果データ
Ｄｐ２，Ｄｐ３  測定データ処理用プログラム
Ｄｔ  テンプレートデータ
Ｎ  通信ネットワーク
【図１】
0006675895.tif 000002
【図２】
0006675895.tif 000003
【図３】
0006675895.tif 000004
【図４】
0006675895.tif 000005
【図５】
0006675895.tif 000006
【図６】
0006675895.tif 000007